(57)【要約】【課題】試しに聴いたり、視聴したい部分の自由度を上げ、且つ、著作権の保護を図ることを可能とする暗号化コンテンツの部分的再生可能化方法及びその装置を提供する。【解決手段】  暗号化されたコンテンツをコンテンツサーバ１０１から端末１０７−ｎにダウンロードさせるステップと、暗号化されたコンテンツを暗号解読するための暗号鍵を暗号鍵サーバ１０３から端末１０７−ｎにダウンロードさせるステップと、暗号化されたコンテンツの暗号鍵により暗号解読されることが可能な範囲を示す付帯情報を端末１０７−ｎにダウンロードさせるステップと、を備える。付帯情報は、暗号鍵又はコンテンツに付帯させる。付帯情報により、試しに聴いたり、視聴したい部分の自由度を上げ、且つ、著作権の保護を図る。【選択図】図１
2007228389.tif 000002
【特許請求の範囲】
【請求項１】
暗号化されたコンテンツを端末にダウンロードさせるステップと、
前記暗号化されたコンテンツを暗号解読するための暗号鍵を端末にダウンロードさせるステップと、
前記暗号化されたコンテンツの前記暗号鍵により暗号解読されることが可能な範囲を示す付帯情報を端末にダウンロードさせるステップと、
を備えることを特徴とする暗号化コンテンツの部分的再生可能化方法。
【請求項２】
請求項１に記載の暗号化コンテンツの部分的再生可能化方法において、
前記付帯情報は、前記暗号化されたコンテンツの前記暗号鍵により暗号解読されることが可能な部分を示すことを特徴とする暗号化コンテンツの部分的再生可能化方法。
【請求項３】
請求項１に記載の暗号化コンテンツの部分的再生可能化方法において、
前記付帯情報は、前記暗号化されたコンテンツの前記暗号鍵により暗号解読されることが可能な時間を示すことを特徴とする暗号化コンテンツの部分的再生可能化方法。
【請求項４】
請求項１に記載の暗号化コンテンツの部分的再生可能化方法において、
前記付帯情報は、前記暗号化されたコンテンツの前記暗号鍵により暗号解読されることが可能な部分及び前記暗号化されたコンテンツの前記暗号鍵により暗号解読されることが可能な時間を示すことを特徴とする暗号化コンテンツの部分的再生可能化方法。
【請求項５】
請求項１に記載の暗号化コンテンツの部分的再生可能化方法において、
前記付帯情報は、前記暗号化されたコンテンツの前記暗号鍵により暗号解読されることが可能な部分及び前記暗号化されたコンテンツの前記暗号鍵により暗号解読されることが可能な回数を示すことを特徴とする暗号化コンテンツの部分的再生可能化方法。
【請求項６】
請求項１乃至５の何れか１項に記載の暗号化コンテンツの部分的再生可能化方法において、
前記付帯情報は、前記暗号鍵と組を成してダウンロードされることを特徴とする暗号化コンテンツの部分的再生可能化方法。
【請求項７】
請求項１乃至５の何れか１項に記載の暗号化コンテンツの部分的再生可能化方法において、
前記付帯情報は、前記暗号化されたコンテンツと組を成してダウンロードされることを特徴とする暗号化コンテンツの部分的再生可能化方法。
【請求項８】
請求項４又は５に記載の暗号化コンテンツの部分的再生可能化方法において、
前記付帯情報の一部は、前記暗号鍵と組を成してダウンロードされ、前記付帯情報の他の部分は、前記暗号化されたコンテンツと組を成してダウンロードされることを特徴とする暗号化コンテンツの部分的再生可能化方法。
【請求項９】
暗号化されたコンテンツを端末にダウンロードさせる手段と、
前記暗号化されたコンテンツを暗号解読するための暗号鍵を端末にダウンロードさせる手段と、
前記暗号化されたコンテンツの前記暗号鍵により暗号解読されることが可能な範囲を示す付帯情報を端末にダウンロードさせる手段と、
を備えることを特徴とする暗号化コンテンツの部分的再生可能化システム。
【請求項１０】
請求項９に記載の暗号化コンテンツの部分的再生可能化システムにおいて、
前記付帯情報は、前記暗号化されたコンテンツの前記暗号鍵により暗号解読されることが可能な部分を示すことを特徴とする暗号化コンテンツの部分的再生可能化システム。
【請求項１１】
請求項９に記載の暗号化コンテンツの部分的再生可能化システムにおいて、
前記付帯情報は、前記暗号化されたコンテンツの前記暗号鍵により暗号解読されることが可能な時間を示すことを特徴とする暗号化コンテンツの部分的再生可能化システム。
【請求項１２】
請求項９に記載の暗号化コンテンツの部分的再生可能化システムにおいて、
前記付帯情報は、前記暗号化されたコンテンツの前記暗号鍵により暗号解読されることが可能な部分及び前記暗号化されたコンテンツの前記暗号鍵により暗号解読されることが可能な時間を示すことを特徴とする暗号化コンテンツの部分的再生可能化システム。
【請求項１３】
請求項９に記載の暗号化コンテンツの部分的再生可能化システムにおいて、
前記付帯情報は、前記暗号化されたコンテンツの前記暗号鍵により暗号解読されることが可能な部分及び前記暗号化されたコンテンツの前記暗号鍵により暗号解読されることが可能な回数を示すことを特徴とする暗号化コンテンツの部分的再生可能化システム。
【請求項１４】
請求項９乃至１３の何れか１項に記載の暗号化コンテンツの部分的再生可能化システムにおいて、
前記付帯情報は、前記暗号鍵と組を成してダウンロードされることを特徴とする暗号化コンテンツの部分的再生可能化システム。
【請求項１５】
請求項９乃至１３の何れか１項に記載の暗号化コンテンツの部分的再生可能化システムにおいて、
前記付帯情報は、前記暗号化されたコンテンツと組を成してダウンロードされることを特徴とする暗号化コンテンツの部分的再生可能化システム。
【請求項１６】
請求項１２又は１３に記載の暗号化コンテンツの部分的再生可能化システムにおいて、
前記付帯情報の一部は、前記暗号鍵と組を成してダウンロードされ、前記付帯情報の他の部分は、前記暗号化されたコンテンツと組を成してダウンロードされることを特徴とする暗号化コンテンツの部分的再生可能化システム。
【請求項１７】
暗号化されたコンテンツをダウンロードするステップと、
前記暗号化されたコンテンツを暗号解読するための暗号鍵をダウンロードするステップと、
前記暗号化されたコンテンツの前記暗号鍵により暗号解読されることが可能な範囲を示す付帯情報をダウンロードするステップと、
前記付帯情報に従って、前記コンテンツを前記暗号鍵により暗号解読するステップと、
を備えることを特徴とする暗号化コンテンツの部分的再生方法。
【請求項１８】
請求項１７に記載の暗号化コンテンツの部分的再生方法において、
前記付帯情報は、前記暗号化されたコンテンツの前記暗号鍵により暗号解読されることが可能な部分を示すことを特徴とする暗号化コンテンツの部分的再生方法。
【請求項１９】
請求項１７に記載の暗号化コンテンツの部分的再生方法において、
前記付帯情報は、前記暗号化されたコンテンツの前記暗号鍵により暗号解読されることが可能な時間を示すことを特徴とする暗号化コンテンツの部分的再生方法。
【請求項２０】
請求項１７に記載の暗号化コンテンツの部分的再生方法において、
前記付帯情報は、前記暗号化されたコンテンツの前記暗号鍵により暗号解読されることが可能な部分及び前記暗号化されたコンテンツの前記暗号鍵により暗号解読されることが可能な時間を示すことを特徴とする暗号化コンテンツの部分的再生方法。
【請求項２１】
請求項１７に記載の暗号化コンテンツの部分的再生方法において、
前記付帯情報は、前記暗号化されたコンテンツの前記暗号鍵により暗号解読されることが可能な部分及び前記暗号化されたコンテンツの前記暗号鍵により暗号解読されることが可能な回数を示すことを特徴とする暗号化コンテンツの部分的再生方法。
【請求項２２】
請求項１７乃至２１の何れか１項に記載の暗号化コンテンツの部分的再生方法において、
前記付帯情報は、前記暗号鍵と組を成してダウンロードされることを特徴とする暗号化コンテンツの部分的再生方法。
【請求項２３】
請求項１７乃至２１の何れか１項に記載の暗号化コンテンツの部分的再生方法において、
前記付帯情報は、前記暗号化されたコンテンツと組を成してダウンロードされることを特徴とする暗号化コンテンツの部分的再生方法。
【請求項２４】
請求項２０又は２１に記載の暗号化コンテンツの部分的再生方法において、
前記付帯情報の一部は、前記暗号鍵と組を成してダウンロードされ、前記付帯情報の他の部分は、前記暗号化されたコンテンツと組を成してダウンロードされることを特徴とする暗号化コンテンツの部分的再生方法。
【請求項２５】
暗号化されたコンテンツをダウンロードする手段と、
前記暗号化されたコンテンツを暗号解読するための暗号鍵をダウンロードする手段と、
前記暗号化されたコンテンツの前記暗号鍵により暗号解読されることが可能な範囲を示す付帯情報をダウンロードする手段と、
前記付帯情報に従って、前記コンテンツを前記暗号鍵により暗号解読する手段と、
を備えることを特徴とする暗号化コンテンツの部分的再生装置。
【請求項２６】
請求項２５に記載の暗号化コンテンツの部分的再生装置において、
前記付帯情報は、前記暗号化されたコンテンツの前記暗号鍵により暗号解読されることが可能な部分を示すことを特徴とする暗号化コンテンツの部分的再生装置。
【請求項２７】
請求項２５に記載の暗号化コンテンツの部分的再生装置において、
前記付帯情報は、前記暗号化されたコンテンツの前記暗号鍵により暗号解読されることが可能な時間を示すことを特徴とする暗号化コンテンツの部分的再生装置。
【請求項２８】
請求項２５に記載の暗号化コンテンツの部分的再生装置において、
前記付帯情報は、前記暗号化されたコンテンツの前記暗号鍵により暗号解読されることが可能な部分及び前記暗号化されたコンテンツの前記暗号鍵により暗号解読されることが可能な時間を示すことを特徴とする暗号化コンテンツの部分的再生装置。
【請求項２９】
請求項２５に記載の暗号化コンテンツの部分的再生装置において、
前記付帯情報は、前記暗号化されたコンテンツの前記暗号鍵により暗号解読されることが可能な部分及び前記暗号化されたコンテンツの前記暗号鍵により暗号解読されることが可能な回数を示すことを特徴とする暗号化コンテンツの部分的再生装置。
【請求項３０】
請求項２５乃至２９の何れか１項に記載の暗号化コンテンツの部分的再生装置において、
前記付帯情報は、前記暗号鍵と組を成してダウンロードされることを特徴とする暗号化コンテンツの部分的再生装置。
【請求項３１】
請求項２５乃至２９の何れか１項に記載の暗号化コンテンツの部分的再生装置において、
前記付帯情報は、前記暗号化されたコンテンツと組を成してダウンロードされることを特徴とする暗号化コンテンツの部分的再生装置。
【請求項３２】
請求項２８又は２９に記載の暗号化コンテンツの部分的再生装置において、
前記付帯情報の一部は、前記暗号鍵と組を成してダウンロードされ、前記付帯情報の他の部分は、前記暗号化されたコンテンツと組を成してダウンロードされることを特徴とする暗号化コンテンツの部分的再生装置。
【請求項３３】
コンピュータに請求項１乃至８の何れか１項又は請求項１７乃至２４の何れか１項に記載の方法を行わせるためのプログラム。
【発明の詳細な説明】
【技術分野】
【０００１】
本発明は、暗号化されたコンテンツの一部のみを端末において暗号解読することを可能とする暗号化コンテンツの部分的再生可能化方法及び暗号化コンテンツの部分的再生可能化システム並びに暗号化コンテンツの部分的再生方法及び暗号化コンテンツの部分的再生装置に関する。
【背景技術】
【０００２】
従来、セパレートデリバリーの方式に従ったコンテンツの配布においては、暗号化されたコンテンツが流通するようにして、そのコンテンツの暗号解読するための暗号鍵を保有する端末（携帯電話等）のみが、そのコンテンツの暗号解読することができるようになっている。したがって、あるユーザが或る音楽コンテンツや或る映像コンテンツを購入しようとするならば、暗号化された状態のコンテンツをその端末にダウンロードして、そのコンテンツの暗号解読をするための暗号鍵もその端末にダウンロードする必要がある。
【０００３】
また、端末は、直接的にサーバからコンテンツをダウンロードする必要はなく、そのコンテンツをダウンロードした端末からそのコンテンツを転送してもらうようにしてもよい。そのように、暗号化されたコンテンツが多くの端末に存在しても、暗号解読鍵を保有する端末のみがそのコンテンツの暗号解読をすることができるので、コンテンツの秘匿性を維持したまま、コンテンツの流通経路の自由度を広げることができる(たとえば、非特許文献１参照)。
【非特許文献１】”Ｖｏｄａｆｏｎｅ  ｌｉｖｅ！ＢＢ”［平成１８年２月７日検索］、インターネット＜URL: http://www.vodafone.jp/japanese/live/bb/howto.html?cc_b011=＞
【発明の開示】
【発明が解決しようとする課題】
【０００４】
コンテンツが暗号化されたままであると、ユーザは、コンテンツの内容をそのコンテンツから知ることができない。従って、ユーザは、コンテンツの説明文などによりコンテンツの大体の内容を把握する。しかし、既にそのコンテンツの内容を知っており、それを自分の端末で楽しむためそのコンテンツをダウンロードしたいという場合を除き、ユーザは、コンテンツの内容を推測するにとどまる。それを解決するために、コンテンツの一部を暗号化しないままにしておいて、それをダウンロードした端末が暗号解読鍵を保有していない場合であっても、その一部のみは自由に再生できるようにする方法もある。しかし、コンテンツがダウンロードされる前にコンテンツの暗号化されない部分を決めておかなければならないので、コンテンツ製作者やコンテンツ配布者の自由度が減り、また、ユーザにとってみても、本当に試しに聴いたり、視聴したい部分を、聴いたり、視聴できるとは限らない。
【０００５】
また、使用回数を１回のみに制限し、暗号解読可能範囲をコンテンツ全体にした暗号鍵を端末にダウンロードさせ、ユーザが１回のみコンテンツを試しに聴いたり、視聴できるようにすることもできるが、こうすると、著作権の保護を十分に図ることができない場合が生じる。
【０００６】
そこで、本発明は、試しに聴いたり、視聴したい部分の自由度を上げ、且つ、著作権の保護を図ることを可能とする暗号化コンテンツの部分的再生可能化方法及びその装置を提供することを目的とする。
【課題を解決するための手段】
【０００７】
本発明によれば、暗号化されたコンテンツをダウンロードするステップと、前記暗号化されたコンテンツを暗号解読するための暗号鍵をダウンロードするステップと、前記暗号化されたコンテンツの前記暗号鍵により暗号解読されることが可能な範囲を示す付帯情報をダウンロードするステップと、前記付帯情報に従って、前記コンテンツを前記暗号鍵により暗号解読するステップと、を備えることを特徴とする暗号化コンテンツの部分的再生方法が提供される。
【０００８】
上記の暗号化コンテンツの部分的再生方法において、前記付帯情報は、前記暗号化されたコンテンツの前記暗号鍵により暗号解読されることが可能な部分を示すようにしてもよい。
【０００９】
上記の暗号化コンテンツの部分的再生方法において、前記付帯情報は、前記暗号化されたコンテンツの前記暗号鍵により暗号解読されることが可能な時間を示すようにしてもよい。
【００１０】
上記の暗号化コンテンツの部分的再生方法において、前記付帯情報は、前記暗号化されたコンテンツの前記暗号鍵により暗号解読されることが可能な部分及び前記暗号化されたコンテンツの前記暗号鍵により暗号解読されることが可能な時間を示すようにしてもよい。
【００１１】
上記の暗号化コンテンツの部分的再生方法において、前記付帯情報は、前記暗号化されたコンテンツの前記暗号鍵により暗号解読されることが可能な部分及び前記暗号化されたコンテンツの前記暗号鍵により暗号解読されることが可能な回数を示すようにしてもよい。
【００１２】
上記の暗号化コンテンツの部分的再生方法において、前記付帯情報は、前記暗号鍵と組を成してダウンロードされるようにしてもよい。
【００１３】
上記の暗号化コンテンツの部分的再生方法において、前記付帯情報は、前記暗号化されたコンテンツと組を成してダウンロードされるようにしてもよい。
【００１４】
上記の部分的再生方法において、前記付帯情報の一部は、前記暗号鍵と組を成してダウンロードされ、前記付帯情報の他の部分は、前記暗号化されたコンテンツと組を成してダウンロードされるようにしてもよい。
【発明の効果】
【００１５】
本発明は、暗号化されたコンテンツをダウンロードするステップと、前記暗号化されたコンテンツを暗号解読するための暗号鍵をダウンロードするステップと、前記暗号化されたコンテンツの前記暗号鍵により暗号解読されることが可能な範囲を示す付帯情報をダウンロードするステップと、前記付帯情報に従って、前記コンテンツを前記暗号鍵により暗号解読するステップと、を備えるので、付帯情報を適切に設定することにより、試しに聴いたり、視聴したい部分の自由度を上げ、且つ、著作権の保護を図ることが可能となる。
【発明を実施するための最良の形態】
【００１６】
以下、図面を参照して本発明を実施するための最良の形態について詳細に説明する。
【００１７】
図１は、本発明の実施形態による携帯網のシステムの構成を示すブロック図である。
【００１８】
図１を参照すると、このシステムは、コンテンツサーバ１０１、暗号鍵サーバ１０３、認証サーバ１０５、携帯端末１０７−１、１０７−２、・・・、１０７−Ｎ及び携帯網１０９を備える。各携帯端末１０７−ｎ（ｎ＝１、２、・・・、Ｎ）（以下、１０７で代表する。）は、携帯網１０９を介して、コンテンツサーバ１０１及び暗号鍵サーバ１０３に接続されている。携帯網１０９は、たとえば、ＰＤＣ(Personal Digital Cellular)方式、Ｗ−ＣＤＭＡ(Wideband-Code Division Multiple Access)方式に従ったものである。
【００１９】
図２を参照すると、携帯端末は、コンテンツダウンロード部１１１、暗号鍵ダウンロード部１１３、付帯情報抽出部１１５、暗号解読部１１７、情報源復号化部１１９及び出力部１２１を備える。
【００２０】
コンテンツダウンロード部１１１は、暗号化されたコンテンツをコンテンツサーバ１０１からダウンロードする。この場合には、例えば、ＴＣＰ／ＩＰ(Transmission Control Protocol/Internet Protocol)等のプロトコルが利用されるが、他のプロトコルが利用されてもよい。
【００２１】
また、暗号鍵ダウンロード部１１３は、暗号鍵を暗号鍵サーバ１０３からダウンロードする。この場合にも、例えば、ＴＣＰ／ＩＰ等のプロトコルが利用されるが、他のプロトコルが利用されてもよい。
【００２２】
また、暗号鍵には、コンテンツを試しに聴いたり視聴したりする（以下、代表的に「試聴」ということにする。）ための視聴暗号鍵と、コンテンツを購入した者が、正式にコンテンツを聴いたり視聴したりするための正式暗号鍵とがある。
【００２３】
携帯端末１０７が試聴暗号鍵をダウンロードするために、暗号鍵サーバ１０３が、認証／課金サーバ１０５にその可否を問い合わせるようなことはない。暗号鍵サーバ１０３は、携帯端末１０７からの要求に従って、試聴暗号鍵を携帯端末１０７の暗号鍵ダウンロード部１１３にダウンロードさせる。
【００２４】
他方、携帯端末１０７が正式暗号鍵をダウンロードするためには、暗号鍵サーバ１０３は、認証／課金サーバ１０５にその可否を問い合わせる。その問合せを受けた認証／課金サーバ１０５は、携帯端末１０７を特定する情報（例えば、電話番号）を利用して、携帯端末１０７を認証し、コンテンツに対応した料金をその携帯端末１０７の利用料金の支払者に対して課金する。課金が終了したならば、認証／課金サーバ１０５は、暗号鍵サーバ１０３に対して、正式暗号鍵ダウンロード許可信号を出力する。この信号を受けた暗号鍵サーバ１０３は、要求元の携帯端末１０７の暗号鍵ダウンロード部１１３に正式暗号鍵をダウンロードさせる。但し、端末が暗号鍵を正常にダウンロードしたことを認証／課金サーバ１０５に通知し、この通知を受けた認証／課金サーバ１０５がユーザに対してコンテンツ料金を課金するようにしてもよい。
【００２５】
次に、図３を参照すると、暗号鍵は、暗号鍵２０５そのもののみから構成されるのではない。携帯端末１０７の暗号鍵ダウンロード部１１３が暗号鍵サーバ１０３からダウンロードするものは、暗号鍵セットである。暗号鍵セット２０１は、試聴フラグ２０３、暗号鍵２０５及び付帯情報２０７を備える。
【００２６】
試聴フラグ２０３は、当該暗号鍵セットが試聴暗号鍵であるのか、又は、正式暗号鍵であるのかを示す。暗号鍵２０５は、暗号鍵そのものである。但し、暗号鍵２０５は、それを基に、所定の計算により別の暗号鍵が求まるようなものとしてもよい。
【００２７】
付帯情報２０７は、試聴フラグ２０３、暗号鍵２０５以外の付帯的な情報であるが、特に、試聴フラグ２０３が当該暗号鍵２０５が視聴用の暗号鍵であることを示している場合には、付帯情報２０７は、暗号鍵２０５によりコンテンツ中の暗号解読をすることが許可されている範囲を示す情報を含む。また、後述するが、暗号鍵２０５によりコンテンツ中の暗号解読をすることが許可されている範囲を示す情報は、コンテンツと組になっていてもよいし、暗号鍵セットとコンテンツに分散していてもよい。
【００２８】
付帯情報抽出部１１５は、コンテンツ、暗号鍵セット又はその双方から、暗号鍵２０５によりコンテンツ中の暗号解読をすることが許可されている範囲を示す情報を抽出する。
【００２９】
携帯端末１０７の暗号解読部１１７は、暗号鍵セット２０１に含まれている暗号鍵２０５が試聴暗号鍵である場合には、付帯情報により表される暗号解読許可範囲で、暗号化コンテンツの暗号解読をする。情報源復号化部１１９は、その後、暗号解読されたコンテンツに対して、情報源復号化をして、出力部１２１に出力する。情報源復号化とは、例えば、コンテンツが圧縮された音声画像データである場合には、その復号（「伸張」ともいう。）のことである。出力部１２１とは、例えば、コンテンツが音声画像データである場合には、表示部とスピーカである。
【００３０】
また、暗号鍵２０５によりコンテンツ中の暗号解読をすることが許可されている範囲を示す情報が、暗号鍵セット２０１の付帯情報２０７に含まれる例を上述したが、暗号鍵２０５によりコンテンツ中の暗号解読をすることが許可されている範囲を示す情報が、コンテンツ２１１のヘッダ２１３中の付帯情報２１５に含まれていてもよい。また、暗号鍵２０５によりコンテンツ中の暗号解読をすることが許可されている範囲を示す情報が、暗号鍵セット２０１の付帯情報２０７とコンテンツ２１１のヘッダ２１３中の付帯情報２１５とに分散して含まれていてもよい。
【００３１】
なお、サーバとは、通常ハードウェア上で動作するソフトウェアのことをいうが、ハードウェアとソフトウェアを含めた装置のことをサーバ乃至サーバ装置という場合もある。また、図２に示す各部は、ハードウェア、ソフトウェア又はそれらの組合せにより実現することができる。
【００３２】
次に、暗号鍵２０５によりコンテンツ中の暗号解読をすることが許可されている範囲を示す情報の種類とその情報が格納されている場所に応じて、いくつかの実施形態を図４を参照して説明する。
【００３３】
［実施形態１］
実施形態１では、暗号鍵２０５によりコンテンツ中の暗号解読をすることが許可されている範囲を、コンテンツの部分２１７（図４参照。）により特定する。すなわち、例えば、コンテンツが６０分の長さを有する場合、０分〜５分の部分及び３０分〜３５分の部分とする。
【００３４】
また、暗号鍵２０５によりコンテンツ中の暗号解読をすることが許可されている範囲を示す情報を暗号鍵セット２０１の付帯情報２０７に含める。
【００３５】
こうすることにより、コンテンツ全体を暗号化したまま従来通り流通させ、試聴暗号鍵を入手できた者だけが、そのコンテンツの一部を試聴することが可能となる。
【００３６】
［実施形態２］
実施形態２では、実施形態１と同様に、暗号鍵２０５によりコンテンツ中の暗号解読をすることが許可されている範囲を、コンテンツの部分２１７（図４参照。）により特定する。すなわち、例えば、コンテンツが６０分の長さを有する場合、０分〜５分の部分及び３０分〜３５分の部分とする。
【００３７】
また、実施形態１とは異なり、暗号鍵２０５によりコンテンツ中の暗号解読をすることが許可されている範囲を示す情報をコンテンツ２１１の付帯情報２１５に含める。
【００３８】
コンテンツ全体を暗号化したまま流通させることが可能となる。また、暗号鍵セットにより暗号解読可能な範囲を指定する必要がないので、暗号鍵セットは、試聴フラグ２０３と暗号鍵２０５を含めばよいこととなる。この場合でも、試聴暗号鍵を入手できた者だけが、そのコンテンツの一部を試聴することが可能となる。
【００３９】
［実施形態３］
実施形態３では、暗号鍵２０５によりコンテンツ中の暗号解読をすることが許可されている範囲を、試聴可能な時間の長さにより特定する。すなわち、例えば、コンテンツが６０分の長さを有する場合、１０分の長さとする。どの部分を試聴可能とするかについての情報はなく、試聴暗号鍵を入手したユーザは、視聴可能時間の長さの範囲内で自由な場所を試聴することが可能となる。この場合、試聴可能部分２１７は、コンテンツ全体となる。但し、これは、コンテンツ全部を自由に試聴できるということを意味するのではなく、試聴可能部分２１７内の任意の場所を制限時間の範囲内で試聴できるということを意味する。このためには、ユーザに対して、コンテンツ全体の時間と試聴可能な制限時間を知らせるためのユーザインターフェースを設ければユーザーフレンドリーである。
【００４０】
また、暗号鍵２０５によりコンテンツ中の暗号解読をすることが許可されている範囲を示す情報を暗号鍵セット２０１の付帯情報２０７に含める。
【００４１】
実施形態３によれば、実施形態１と同様に、コンテンツ全体を暗号化したまま通常通り流通させ、試聴暗号鍵を入手できた者だけが、そのコンテンツの一部を試聴することが可能となる。
【００４２】
［実施形態４］
実施形態４では、実施形態３と同様に、暗号鍵２０５によりコンテンツ中の暗号解読をすることが許可されている範囲を、試聴可能な時間の長さにより特定する。すなわち、例えば、コンテンツが６０分の長さを有する場合、１０分の長さとする。どの部分を試聴可能とするかについての情報はなく、試聴暗号鍵を入手したユーザは、視聴可能時間の長さの範囲内で自由な場所を試聴することが可能となる。この場合、試聴可能部分２１７は、コンテンツ全体となる。但し、これは、コンテンツ全部を自由に試聴できるということを意味するのではなく、試聴可能部分２１７内の任意の場所を制限時間の範囲内で試聴できるということを意味する。
【００４３】
また、実施形態３とは異なり、暗号鍵２０５によりコンテンツ中の暗号解読をすることが許可されている範囲を示す情報をコンテンツ２１１の付帯情報２１５に含める。
【００４４】
コンテンツ全体を暗号化したまま流通させることが可能となる。また、暗号鍵セットにより暗号解読可能な範囲を指定する必要がないので、暗号鍵セットは、試聴フラグ２０３と暗号鍵２０５を含めばよいこととなる。この場合でも、試聴暗号鍵を入手できた者だけが、そのコンテンツの一部を試聴することが可能となる。
【００４５】
［実施形態５］
実施形態５では、暗号鍵２０５によりコンテンツ中の暗号解読をすることが許可されている範囲を、コンテンツの部分２１７（図４参照。）により特定する。すなわち、例えば、コンテンツが６０分の長さを有する場合、０分〜５分の部分及び３０分〜３５分の部分とする。
【００４６】
更に、実施形態５では、暗号鍵２０５によりコンテンツ中の暗号解読をすることが許可されている範囲を、試聴可能な時間の長さにより特定する。すなわち、例えば、コンテンツが６０分の長さを有する場合、５分の範囲とする。
【００４７】
試聴可能な範囲が０分〜５分の部分及び３０分〜３５分の部分であり、試聴可能な時間の長さが５分であれば、試聴暗号鍵を入手したユーザは、０分〜５分の部分及び３０分〜３５分の部分のうちから自分が欲する５分間の部分を試聴することが可能となる。このためには、ユーザに対して、試聴可能な部分と試聴可能な時間の長さを知らせ、ユーザに試聴する部分を決定させるためのユーザインターフェースを設ければよい。
【００４８】
また、試聴可能な範囲が０分〜５分の部分及び３０分〜３５分の部分であり、試聴可能な時間の長さが２０分であれば、試聴暗号鍵を入手したユーザは、０分〜５分の部分及び３０分〜３５分の部分のうちから自分が欲する部分を繰り返して試聴することが可能となる。このためには、ユーザに対して、試聴可能な部分と試聴可能な時間の長さを知らせ、ユーザに試聴する部分を決定させるためのユーザインターフェースを設ければよい。
【００４９】
また、暗号鍵２０５によりコンテンツ中の暗号解読をすることが許可されている範囲を示す情報を暗号鍵セット２０１の付帯情報２０７に含める。
【００５０】
こうすることにより、コンテンツ全体を暗号化したまま通常通り流通させ、試聴暗号鍵を入手できた者だけが、そのコンテンツの一部を試聴することが可能となる。
【００５１】
［実施形態６］
実施形態６は、基本的には、実施形態５と同様であるが、試聴可能な部分に関する情報を暗号鍵セット２０１の付帯情報２０７に含め、試聴可能な時間の長さに関する情報をコンテンツ２１１の付帯情報２１５に含める。
【００５２】
［実施形態７］
実施形態７は、基本的には、実施形態５と同様であるが、試聴可能な部分に関する情報をコンテンツ２１１の付帯情報２１５に含め、試聴可能な時間の長さに関する情報を暗号鍵セット２０１の付帯情報２０７に含める。
【００５３】
例えば、ユーザが試聴することを許す部分をコンテンツ制作者が決定しておき、ユーザの料金プランに応じて、視聴可能な時間を変えるような応用例が考えられる。
【００５４】
［実施形態８］
実施形態８は、基本的には、実施形態５と同様であるが、試聴可能な部分に関する情報及び試聴可能な時間の長さに関する情報をコンテンツ２１１の付帯情報２１５に含める。
【００５５】
コンテンツ全体を暗号化したまま流通させることが可能となる。また、暗号鍵セットにより暗号解読可能な範囲を指定する必要がないので、暗号鍵セットは、試聴フラグ２０３と暗号鍵２０５を含めばよいこととなる。この場合でも、試聴暗号鍵を入手できた者だけが、そのコンテンツの一部を試聴することが可能となる。
【００５６】
［実施形態９］
実施形態９では、暗号鍵２０５によりコンテンツ中の暗号解読をすることが許可されている範囲を、コンテンツの部分２１７（図４参照。）により特定する。すなわち、例えば、コンテンツが６０分の長さを有する場合、０分〜５分の部分及び３０分〜３５分の部分とする。
【００５７】
更に、実施形態９では、暗号鍵２０５によりコンテンツ中の暗号解読をすることが許可されている部分を、試聴可能な回数により特定する。すなわち、例えば、試聴可能な回数を１回、２回等と指定する。
【００５８】
試聴可能な部分が０分〜５分の部分及び３０分〜３５分の部分であり、試聴可能な回数が２回であれば、試聴暗号鍵を入手したユーザは、０分〜５分の部分及び３０分〜３５分の部分をそれぞれ２回だけ試聴することが可能となる。このためには、ユーザに対して、試聴可能な部分と試聴可能な回数を知らせるためのユーザインターフェースを設ければよい。
【００５９】
また、各部分毎に、試聴可能な回数を変えてもよい。また、一部の部分の試聴可能な回数を無限回にしてもよい。
【００６０】
また、暗号鍵２０５によりコンテンツ中の暗号解読をすることが許可されている範囲を示す情報を暗号鍵セット２０１の付帯情報２０７に含める。
【００６１】
こうすることにより、コンテンツ全体を暗号化したまま通常通り流通させ、試聴暗号鍵を入手できた者だけが、そのコンテンツの一部を試聴することが可能となる。
【００６２】
［実施形態１０］
実施形態１０は、基本的には、実施形態９と同様であるが、試聴可能な部分に関する情報を暗号鍵セット２０１の付帯情報２０７に含め、試聴可能な回数に関する情報をコンテンツ２１１の付帯情報２１５に含める。
【００６３】
［実施形態１１］
実施形態１１は、基本的には、実施形態９と同様であるが、試聴可能な部分に関する情報をコンテンツ２１１の付帯情報２１５に含め、試聴可能な回数に関する情報を暗号鍵セット２０１の付帯情報２０７に含める。
【００６４】
例えば、コンテンツ制作者が試聴することを許す部分を決定しておき、ユーザの料金プランに応じて、視聴可能な回数を変えるような応用例が考えられる。
【００６５】
［実施形態１２］
実施形態１２は、基本的には、実施形態９と同様であるが、試聴可能な部分に関する情報及び試聴可能な回数に関する情報をコンテンツ２１１の付帯情報２１５に含める。
【００６６】
コンテンツ全体を暗号化したまま流通させることが可能となる。また、暗号鍵セットにより暗号解読可能な範囲を指定する必要がないので、暗号鍵セットは、試聴フラグ２０３と暗号鍵２０５を含めばよいこととなる。この場合でも、試聴暗号鍵を入手できた者だけが、そのコンテンツの一部を試聴することが可能となる。
【００６７】
［実施形態１３］
実施形態９乃至１２において、実施形態５と同様に、更に、試聴可能な時間の長さを指定してもよい。
【００６８】
例えば、第１の部分を０分から５分の範囲として試聴可能回数を無限回として、第２の部分を３０分から３５分の範囲として、試聴可能回数を３回にして、視聴可能な時間を２０分とすれば、例えば、第１の部分を３回試聴して、第２の部分を１回試聴できるようになる。
【図面の簡単な説明】
【００６９】
【図１】本発明の実施形態による携帯網のシステムの構成を示すブロック図である。
【図２】図１に示す携帯端末の構成を示すブロック図である。
【図３】本発明の実施形態による暗号鍵セットの構成例及びコンテンツの構成例を示す図である。
【図４】本発明の実施形態１乃至１２をまとめた表である。
【符号の説明】
【００７０】
１０１  コンテンツサーバ
１０３  暗号鍵サーバ
１０５  認証／課金サーバ
１０７  携帯端末
１０９  携帯網
【図１】
2007228389.tif 000003
【図２】
2007228389.tif 000004
【図３】
2007228389.tif 000005
【図４】
2007228389.tif 000006